(57)【特許請求の範囲】
【請求項１】
所定の厚さを有する保持媒体と、
この保持媒体に設けられ、前記保持媒体の厚さ方向に直交する平面に所定の第１の領域を有し、第１の周波数の信号を受信する第１の信号受信素子と、
前記保持媒体に設けられ、前記保持媒体の厚さ方向に直交する前記第１の信号受信素子の平面と異なる平面に第２の領域を有し、第１の周波数と異なる第２の周波数の信号を受信する第２の信号受信素子と、
前記保持媒体に設けられ、前記保持媒体の厚さ方向に直交する方向から見た状態で前記第１および第２の信号受信素子の少なくともいずれか一方と自身の一部あるいは全部が重なるように配置され、前記第１の信号受信素子により受信した信号と前記第２の信号受信素子により受信した信号とに基づいて所定の処理をする信号処理回路素子と、
を具備することを特徴とする携帯可能な情報記憶媒体。
【請求項２】
所定の厚さを有する保持媒体と、
この保持媒体と一体に形成され、目視可能な所定の情報を表示するための凹凸を含む非利用可能領域と、
この保持媒体に設けられ、前記保持媒体の厚さ方向に直交する方向から見た状態で前記非利用可能領域と交わることのない領域の平面に配置され、第１の周波数の信号を受信する第１の信号受信素子と、
前記保持媒体に設けられ、前記保持媒体の厚さ方向に直交する方向から見た状態で前記非利用可能領域と交わることのない領域の平面であって、前記第１の信号受信素子の平面と異なる平面に配置され、前記第１の周波数と異なる第２の周波数の信号を受信する第２の信号受信素子と、
前記保持媒体に設けられ、前記第１および第２の信号受信素子を前記保持媒体の厚さ方向と直交する方向から見た状態で前記第１および第２の信号受信素子の少なくともいずれか一方と自身の一部あるいは全部が重なるように配置され、前記第１の信号受信素子により受信した信号と前記第２の信号受信素子により受信した信号とに基づいて所定の処理をする信号処理回路素子と、
を具備することを特徴とする携帯可能な情報記憶媒体。
【請求項３】
所定の厚さを有する保持媒体と、
この保持媒体と一体に形成され、磁気情報を保持可能な磁気媒体と、
この保持媒体に設けられ、前記保持媒体の厚さ方向に直交する方向から見た状態で前記磁気媒体と交わることのない領域の平面に配置され、第１の周波数の信号を受信する第１の信号受信素子と、
前記保持媒体に設けられ、前記保持媒体の厚さ方向に直交する方向から見た状態で前記磁気媒体と交わることのない領域の平面であって、前記第１の信号受信素子の平面と異なる平面に配置され、前記第１の周波数と異なる第２の周波数の信号を受信する第２の信号受信素子と、
前記保持媒体に設けられ、前記第１および第２の信号受信素子を前記保持媒体の厚さ方向と直交する方向から見た状態で前記第１および第２の信号受信素子の少なくともいずれか一方と自身の一部あるいは全部が重なるように配置され、前記第１の信号受信素子により受信した信号と前記第２の信号受信素子により受信した信号とに基づいて所定の処理をする信号処理回路素子と、
を具備することを特徴とする携帯可能な情報記憶媒体。
【請求項４】
前記第１および第２の信号受信素子は、前記保持媒体を介在して相互に対向するように配置されることを特徴とする請求項２又は３に記載の携帯可能な情報記憶媒体。
【請求項５】
前記信号処理回路素子は、前記第１の信号受信素子により受信した信号を電力として、前記第２の信号受信素子により受信した信号に基づいて所定の処理を行うものとすることを特徴とする請求項１ないし３のいずれか１項に記載の携帯可能な情報記憶媒体。
【発明の詳細な説明】
【０００１】
【産業上の利用分野】
この発明は、外部装置としての情報処理装置に対して、情報を非接触で送受信する携帯可能な情報記憶媒体、たとえば、無線カードに関する。
【０００２】
【従来の技術】
今日、さまざまな料金収受システム、たとえば、交通機関における運賃収受および改札または有料道路における通行料金精算、あるいは、商品販売業もしくはサービス業における商品またはサービスの対価としての代金の収受および精算などに関し、集約的かつ漏れのない管理のために、無線カードシステムが実用化されている。
【０００３】
無線カードシステムでは、携帯可能な情報記憶媒体の１つとして、カード状に形成され、外部装置としての情報処理装置との間で、非接触で情報を送受信可能な無線カードが利用されている。
【０００４】
無線カードは、情報処理装置に対して情報を送信するとともに情報処理装置から情報を受信するための通信用アンテナ、所定の情報を記憶するとともに必要に応じて書き替え可能なメモリ、主制御装置としてのＣＰＵ、ＣＰＵの動作および外部の情報処理装置との通信を制御するためのクロックを発生するクロック発生回路、及び、ＣＰＵあるいはクロック発生回路などの内部装置を動作させるための電力を外部から受けとるための電力受信アンテナなどを有している。
【０００５】
なお、カード内部に、電源としてのバッテリーが配置された無線カードも提案されているが、多くのカードでは、電力受信アンテナにより電力が供給されている。
【０００６】
また、今日、無線カードの多様化にともなって、たとえば、クレジットカードなどに代表される薄型かつエンボスあるいはホログラムなどが一体に形成されたカードにも利用が試みられている。
【０００７】
【発明が解決しようとする課題】
ところで、無線カードにおける電力受信アンテナと通信用アンテナは、十分な電力を受信するために必要となる十分な受信領域を確保するために、一体に形成されている。このことから、アンテナは、カードの面積の大部分を占めている。
【０００８】
しかしながら、アンテナがカードの面積の大部分を占めることは、クレジットカードなどに見られるエンボス領域と干渉することから、エンボスを含む薄型の無線カードには、たとえば、カード本体とアンテナを別々に形成したのち、それぞれを貼りあわせる方法が利用されている。
【０００９】
このことは、カードの厚さを増大させるのみならず、エンボスを利用した伝票発行装置への装着に支障をきたす問題がある。また、カード本体とアンテナは、カードにエンボスが形成される以前に、組み立てられることから、カードに形成されたエンボスを避けてアンテナを配置することは、実質的に、困難である。
この発明の目的は、電力受信アンテナを一体に有する薄型無線カードを提供することにある。
【００１０】
【課題を解決するための手段】
この発明は、上記問題点に基づきなされたもので、所定の厚さを有する保持媒体と、
この保持媒体に設けられ、前記保持媒体の厚さ方向に直交する平面に所定の第１の領域を有し、第１の周波数の信号を受信する第１の信号受信素子と、前記保持媒体に設けられ、前記保持媒体の厚さ方向に直交する前記第１の信号受信素子の平面と異なる平面に第２の領域を有し、第１の周波数と異なる第２の周波数の信号を受信する第２の信号受信素子と、前記保持媒体に設けられ、前記保持媒体の厚さ方向に直交する方向から見た状態で前記第１および第２の信号受信素子の少なくともいずれか一方と自身の一部あるいは全部が重なるように配置され、前記第１の信号受信素子により受信した信号と前記第２の信号受信素子により受信した信号とに基づいて所定の処理をする信号処理回路素子と、
を具備することを特徴とする携帯可能な情報記憶媒体を提供するものである。
【００１１】
また、この発明によれば、所定の厚さを有する保持媒体と、この保持媒体と一体に形成され、目視可能な所定の情報を表示するための凹凸を含む非利用可能領域と、この保持媒体に設けられ、前記保持媒体の厚さ方向に直交する方向から見た状態で前記非利用可能領域と交わることのない領域の平面に配置され、第１の周波数の信号を受信する第１の信号受信素子と、前記保持媒体に設けられ、前記保持媒体の厚さ方向に直交する方向から見た状態で前記非利用可能領域と交わることのない領域の平面であって、前記第１の信号受信素子の平面と異なる平面に配置され、前記第１の周波数と異なる第２の周波数の信号を受信する第２の信号受信素子と、前記保持媒体に設けられ、前記第１および第２の信号受信素子を前記保持媒体の厚さ方向と直交する方向から見た状態で前記第１および第２の信号受信素子の少なくともいずれか一方と自身の一部あるいは全部が重なるように配置され、前記第１の信号受信素子により受信した信号と前記第２の信号受信素子により受信した信号とに基づいて所定の処理をする信号処理回路素子と、を具備することを特徴とする携帯可能な情報記憶媒体が提供される。
【００１２】
さらに、この発明によれば、所定の厚さを有する保持媒体と、この保持媒体と一体に形成され、磁気情報を保持可能な磁気媒体と、この保持媒体に設けられ、前記保持媒体の厚さ方向に直交する方向から見た状態で前記磁気媒体と交わることのない領域の平面に配置され、第１の周波数の信号を受信する第１の信号受信素子と、前記保持媒体に設けられ、前記保持媒体の厚さ方向に直交する方向から見た状態で前記磁気媒体と交わることのない領域の平面であって、前記第１の信号受信素子の平面と異なる平面に配置され、前記第１の周波数と異なる第２の周波数の信号を受信する第２の信号受信素子と、前記保持媒体に設けられ、前記第１および第２の信号受信素子を前記保持媒体の厚さ方向と直交する方向から見た状態で前記第１および第２の信号受信素子の少なくともいずれか一方と自身の一部あるいは全部が重なるように配置され、前記第１の信号受信素子により受信した信号と前記第２の信号受信素子により受信した信号とに基づいて所定の処理をする信号処理回路素子と、を具備することを特徴とする携帯可能な情報記憶媒体が提供される。
【００１７】
【作用】
この発明によれば、信号処理回路素子と第１および第２の信号受信素子との間の配線材の長さすなわち浮遊容量の影響が低減される。
【００１８】
また、凹凸を有する保持媒体の厚さを変えることなく、第１の周波数の信号および第１の周波数と異なる第２の周波数の信号を、保持媒体に供給可能となる。信号処理回路素子と第１および第２の信号受信素子のそれぞれの一部が保持媒体の断面方向に関して相互に重なり合和せられることにより、信号処理回路素子と第１および第２の信号受信素子の間の配線材の長さすなわち浮遊容量の影響を低減できる。さらに、信号処理回路素子へのノイズによる悪影響を低減できる。
【００２１】
【実施例】
以下、図面を用いてこの発明の実施例を説明する。
図１には、この発明の実施例が適用可能な無線カードシステムの概略が示されている。
【００２２】
図１によれば、無線カードシステムは、特定の施設における入場および出場、たとえば、駅の改札業務において、利用者により携帯される無線カード (携帯可能な情報記憶媒体) １０、無線カード１０から、無線カード１０に予め記憶されているデータの読み取りを指示するとともに、無線カード１０に対して予め決められているデータのの書き込みを指示する情報処理装置１、及び、情報処理装置１に接続され、非接触すなわち無線方式により、利用者が保持する無線カード１０に対して情報処理装置１を介して供給されるさまざまなデータを書き込むとともに無線カード１０に記録されている情報を読み取るリーダ・ライタ２により形成される。
【００２３】
情報処理装置１は、たとえば、詳述しないホストコンピュータ装置あるいはホストコンピュータ装置に接続された端末装置により構成される。なお、情報処理装置１には、利用者の入場あるいは出場を物理的に制限するラッチ機構、たとえば、自動改札装置すなわちゲート３が接続されている。
【００２４】
図１を参照して、駅の自動改札装置を例とした無線カードシステムを簡単に説明すると、第１に、リーダ・ライタ２の後述するアンテナ部から、情報処理装置１の指令により、無線カード１０に電力供給信号αが送信される。無線カード１０は、後述する電力受信用アンテナと通信用アンテナとを有し、電力供給信号αにより電力受信用アンテナを介して電力が供給されることで、起動される。
【００２５】
続いて、情報処理装置１の指令により、リーダ・ライタ２から、無線カード１０に、質問信号βが送信される。この質問信号βは、通信用アンテナを介して、無線カード１０の後述する制御部に取り込まれ、質問信号βが書き込み信号である場合には、カード１０内の後述するメモリに書き込みされる一方、質問信号βが読み取り信号である場合には、メモリから対応するデータが読み出される。
【００２６】
第３に、無線カード１０の制御部の制御により、無線カード１０から、質問信号βに対応する応答信号γがリーダ・ライタ２に向けて送信される。なお、リーダ・ライタ２は、応答信号γを受信したのち、予め決められているプロトコルに基づいて電力供給信号αの送信を停止する。
【００２７】
図２は、図１に示した無線カードを詳細に説明するブロック図である。
図２を参照すれば、携帯可能な情報記憶媒体すなわち無線カード１０は、たとえば、利用者名および個人識別番号あるいはカード発行会社名などに代表されるエンボスすなわち特定の情報を示す凹凸あるいはホログラムなどが形成される変形可能領域すなわち非利用可能領域１１ａおよびカード１０を、たとえば、クレジットカードとして利用可能にするための磁気情報を保持する磁気テープ部１１ｂ、リーダ・ライタからの電力を受けとる電力受信用アンテナ１２およびリーダ・ライタからの信号を受信する通信用アンテナ１３を有している。なお、後述するように、リーダ・ライタから送信される通信用信号の周波数は、電力供給用の周波数に比較して低く設定されることから、通信用アンテナ１３は、電力受信用アンテナ１２に比較して詳述しないコイル部分のコイルの総延長すなわちコイルの大ききが大きく形成される。
【００２８】
通信用アンテナ１３を介して受信した信号を復調する復調回路１４、復調回路１４を介して取り込まれた信号に関し、コマンドを解読するとともに、後述するメモリに対してデータの書込みおよびメモリからのデータの読みだし、及び、リーダ・ライタへのデータの送信などを制御する主制御装置としてＣＰＵ１５、予め決められているデータが記憶されているとともに、リーダ・ライタから送信されたデータに基づいて書き替え可能なメモリ１６、ＣＰＵ１５の制御により、リーダ・ライタに向けて送信すべきデータを送信するための変調回路１７、及び、電力受信用アンテナ１２により供給される電力を一時的に保持するとともに、カード内部の電源として機能する電源回路１８などを有している。
【００２９】
なお、復調回路１４、ＣＰＵ１５、メモリ１６および変調回路１７は、１チップ素子１９として一体に形成されている。また、１チップ素子１９は、後述する図４ないし図９に示すように、電力受信用アンテナ１２あるいは通信用アンテナ１３の少なくとも一方のアンテナ回路の閉ループの一部と１チップ素子１９の一部とが、カード１０の本体１０ａを正面から見た状態で、相互に重なり合うように、位置されている。
【００３０】
図３は、図１に示したリーダ・ライタを詳細に説明するブロック図である。
図３を参照すれば、リーダ・ライタ２０は、無線カード１０に対する読み出し／書き込みコマンドの送信、読出しデータの処理、書込みデータの送信、及び、ホストシステム１との間の信号の受け渡しなどを制御する主制御装置としてのＣＰＵ２１、ＣＰＵ２１に接続され、ＣＰＵ２１の動作規則、及び、無線カード１０への送信手順および無線カード１０からの受信手順が予め記憶されているとともに、無線カード１０へ送信すべきデータおよび無線カード１０から受信したデータを記憶できるメモリ２２、基準クロックを発生するクロック発生回路２３、クロック発生回路２３により発生された電力用信号を１／Ｎ倍して搬送波を形成する１／Ｎ倍回路２４、ＣＰＵ２１を介して入力される無線カードに送信すべきデータと搬送波とを合成するとともに、後述する所定の変調方式により変調する変調回路２５、クロック発生回路２３により供給される無線カード１０の電力を送信する電力送信回路２６、変調回路２５により供給される送信データを送信するデータ送信回路２７、電力送信回路２６およびデータ送信回路２７により供給される信号を大気中にむけて送信する送信アンテナ２８、送信アンテナ２８から送信された信号をモニタするモニタ回路２９、無線カード１０からの応答信号を受信する受信アンテナ３０、受信アンテナ３０により受信した信号から所定の信号を取り出す検波回路３１、検波回路３１により取り出された信号を復調する復調回路３２、及び、それぞれの回路を付勢するための電源回路３３などを有している。
【００３１】
次に、無線カード１０およびリーダ・ライタ２０について、さらに詳細に説明する。
まず、無線カード１０に対するデータの読出しについて説明する。
【００３２】
第１に、ＣＰＵ２１の制御により電力供給周波数ｆ1 としてクロック発生回路２３からｆヘルツの信号が発生され、電力送信回路２６の電力増幅器２６ａにより所定のレベルまで増幅されたのち電力送信回路２６のバンドパスフィルタ２６ｂによりノイズ成分が除去されて、送信アンテナ２８を介して、リーダ・ライタ２０から無線カード１０に送信される。
【００３３】
送信アンテナ２８を介して大気中に放射された電力ｆ1 は、無線カード１０の電力受信用アンテナ１２を介して受信される。これにより、無線カード１０の電源回路１８に電力が供給され、電源回路１８によりＣＰＵ１５が付勢されて、復調回路１４が待機状態に規定される。
【００３４】
つづいて、１／Ｎ倍回路２４により、クロック発生回路２３で発生されたｆヘルツの信号が１／Ｎ倍されて、通信用搬送波ｆ2 が規定される。こののち、リーダ・ライタ２０のＣＰＵ２１により読出しコマンドが形成され、搬送波ｆ2 とともに変調回路２５へ送出されて、変調回路２５により所定の変調方式で変調される。
【００３５】
このようにして、変調回路２５により所定の形式に変調された通信用信号ｆ2 は、データ送信回路２７の送信用増幅器２７ａで充分な強度まで増幅され、さらに、データ送信回路２７のバンドパスフィルタ２７ｂによりノイズ成分が除去されて、送信アンテナ２８から無線カード１０に送信される。なお、送信アンテナ２８に供給された信号は、モニタ回路２９を介してＣＰＵ２１によりモニタされる。
【００３６】
送信アンテナ２８からの通信用信号ｆ2 は、無線カード１０の通信用アンテナ１３により受信される。従って、通信用信号ｆ2 に先だって送信された電力信号ｆ1 により待機状態に規定された復調回路１４を介して、通信用アンテナ１３で受信された信号ｆ2 が再生される。
【００３７】
続いて、ＣＰＵ１５を介して復調回路１４により得られたリーダ・ライタ２０からのコマンドが解読され、ＣＰＵ１５の制御により、解析されたコマンドに対応する所定のデータがメモリ１６から読み出される。
【００３８】
メモリ１６から読み出されたデータすなわち応答信号は、変調回路１７により所定の方式で変調され、通信用アンテナ１３を介して空間へ放射される。
この無線カード１０から応答信号は、リーダ・ライタ２０の受信アンテナ３０で受信される。受信アンテナ３０で受信された受信信号は、検波回路３１へ送られ、検波回路３１の同調回路３１ａにより所定の周波数の信号のみが取り出されたのち検波回路３１の受信用増幅器３１ｂにより所定のレベルまで増幅されて、復調回路３２へ転送される。
【００３９】
検波回路３１により検波された無線カード１０からのデータは、復調回路３２により変調方式に対応して復調され、ＣＰＵ２１に送出される。これにより、ＣＰＵ２１は、ホスト装置すなわち情報処理装置１ (図１参照) に向けて、復調回路３２により供給された無線カード１０からのデータを参照して所定の信号を転送する。
【００４０】
次に、無線カード１０に対するデータの書込みについて説明する。
リーダ・ライタ２０のＣＰＵ２１は、書込みコマンドを生成する一方で、ＣＰＵ２１に供給された (またはＣＰＵ２１により形成された) 書き込みデータを、変調回路２５へ送る。変調回路２５では、任意の変調方式でコマンドおよびデータを変調し、送信用増幅器２７ａへ送る。送信用増幅器２７ａでは、変調信号を放射するに充分な強度まで増幅する。増幅した信号は、バンドパスフィルタ２７ｂによりノイズ成分が除去されて、送信アンテナ２８へ供給される。なお、送信アンテナ２８に供給された信号は、モニタ回路２９を介してＣＰＵ２１によりモニタされる。
【００４１】
送信アンテナ２８に供給された信号は、空間を伝達され、無線カード１０の送受信アンテナ１３で受信される。受信アンテナ１３で受信された受信信号は、復調回路１４で復調され、ＣＰＵ１５に送られて、ＣＰＵ１５で、コマンドが解析される。続いて、ＣＰＵ１５の制御により、書込みコマンドに続いて伝送される書込みデータがメモリ１６の所定のアドレスに書き込まれる。
【００４２】
メモリ１６の所定のアドレスに、リーダ・ライダ２０からのデータが書き込まれると、メモリ１６内の図示しないチェックピット (アドレス) のフラグが書き替えられ、メモリ１６へのデータの書き込みの終了がＣＰＵ１５に報知される。これにより、ＣＰＵ１５から変調回路１７に、メモリ１６への書き込み終了を示すコマンドが出力される。
【００４３】
この書き込み終了コマンドは、変調回路１７を介して所定の方式で変調され、通信用アンテナ１３を介して空間へ放射される。
この無線カード１０から応答信号すなわち書き込み終了コマンドは、リーダ・ライタ２０の受信アンテナ３０で受信され、検波回路３１および復調回路３２を介して所定の信号に復調されて、ＣＰＵ２１に送出される。これにより、カード１０への電力の供給すなわち電力送信用周波数ｆ1 の発生が停止される。
【００４４】
次に、図２に示した無線カードの電力受信用アンテナならびに通信用アンテナの配置について説明する。
図４ないし図９は、無線カードの回路素子部分および電力受信用アンテナおよび通信用アンテナの配置の例を示している。
【００４５】
既に説明したように、無線カード１０は、統一規格として予め決められた位置に配置されたエンボスあるいはホログラムなどが一体に形成されるための非利用可能領域１１ａおよび磁気テープ部１１ｂを有している。
【００４６】
図４ (ａ) を参照すれば、電力受信用アンテナ１２は、非利用可能領域１１ａと磁気テープ部１１ｂとの間の空白領域に配置される。また、通信用アンテナ１３は、非利用可能領域１１ａの周囲を取り巻くよう、非利用可能領域１１ａの外側に配置される。なお、電力受信用アンテナ１２と通信用アンテナ１３は、同一平面に、かつ、１チップ素子１９の一部を、それぞれのアンテナのアンテナ回路の閉ループの少なくとも一部を覆うように、配置される。従って、アンテナと１チップ素子との間の図示しない配線材の長さすなわちアンテナと１チップ素子との間の浮遊容量の影響が低減される。
【００４７】
図４ (ｂ) を参照すれば、電力受信用アンテナ１２は、非利用可能領域１１ａと磁気テープ部１１ｂとの間の空白領域に配置される。また、通信用アンテナ１３は、磁気テープ部１１ｂの周囲を取り巻くよう、磁気テープ部１１ｂの外側に配置される。なお、電力受信用アンテナ１２と通信用アンテナ１３は、同一平面に、かつ、１チップ素子１９の一部を、それぞれのアンテナのアンテナ回路の閉ループの少なくとも一部を覆うように、配置される。従って、アンテナと１チップ素子との間の図示しない配線材の長さすなわちアンテナと１チップ素子との間の浮遊容量の影響が低減される。
【００４８】
図４（ｃ）を参照すれば、電力受信用アンテナ１２ならびに通信用アンテナ１３は、それぞれ、同一平面に、かつ、１チップ素子１９の一部を、それぞれのアンテナのアンテナ回路の閉ループの少なくとも一部を覆うように、非利用可能領域１１ａと磁気テープ部１１ｂとの間の空白領域に配置される。この場合、それぞれのアンテナ１２および１３と磁気テープ部１１ｂとの相対的な位置関係は、制限されることなく、任意に設定できる。従って、アンテナと１チップ素子との間の図示しない配線材の長さすなわちアンテナと１チップ素子との間の浮遊容量の影響が低減される。
【００４９】
図４（ｄ）を参照すれば、電力受信用アンテナ１２ならびに通信用アンテナ１３は、カード１０の本体１０ａを挟んで、それぞれ、互いに対向するよう、本体１０ａの表面および裏面に、かつ、１チップ素子１９の一部を、それぞれのアンテナのアンテナ回路の閉ループの少なくとも一部を覆うよう、しかも、非利用可能領域１１ａと磁気テープ部１１ｂとの間の空白領域に配置される。この場合、それぞれのアンテナ１２および１３とカード本体１０ａの表面との相対的な位置関係は、制限されることなく、任意に設定できる。従って、アンテナと１チップ素子との間の図示しない配線材の長さすなわちアンテナと１チップ素子との間の浮遊容量の影響が低減される。
【００５０】
図５ないし図８（ａ）および図９を参照すれば、１チップ素子１９は、カード１０の本体１０ａを正面から見た状態で、電力受信用アンテナ１２のアンテナ回路の閉ループの内側の領域に配置される。このような配置によれば、アンテナと１チップ素子との間の浮遊容量が低減できるとともに、１チップ素子を、ノイズによる影響から保護できる。なお、図８（ｂ）は、１チップ素子１９が通信用アンテナ１３の閉ループの内側に配置される例を示すもので、図６ないし図８（ａ）および図９に示した他の例と同様の効果が得られることはいうまでもない。
【００５１】
このようにして、カード本体１０ａの厚さを増大させることなく、電力用信号ｆ1 と通信用信号ｆ2 を、カード本体１０ａに容易に供給可能となる。また、信号処理回路すなわち１チップ素子１９と電力用アンテナ１２と通信用アンテナ１３のそれぞれの一部がカード本体１０ａの断面方向に関して相互に重なり合せられることにより、信号処理回路１９と電力用アンテナ１２と通信用アンテナ１３との間の配線材の長さすなわち浮遊容量の影響が低減される。さらに、信号処理回路へのノイズによる悪影響を低減できる。またさらに、従来、困難とされていた磁気テープ（１１ｂ）付きのカードに対しても、電力用アンテナ１２と通信用アンテナ１３を、磁気テープおよびエンボスと干渉することなく配置できる。さらにまた、カード単体としての重量を低減できる。
【００５２】
【発明の効果】
以上説明したように、この発明の携帯可能媒体によれば、電力信号を受信する電力用アンテナと通信用アンテナは、それぞれ、カード本体に一体に形成され、同一平面で交わることのないよう配置される。
【００５３】
また、電力信号を受信する電力用アンテナと通信用アンテナは、それぞれ、カード本体に一体に形成されている凹凸すなわちエンボスを含む非利用可能領域および磁気情報を保持可能な磁気テープ領域と同一平面で交わることのないよう配置される。
【００５４】
さらに、電力信号を受信する電力用アンテナと通信用アンテナは、それぞれ、電力用アンテナにより受信した信号を電力として、通信用アンテナにより受信した信号に基づいて所定の処理をする信号処理回路に対して、カード本体に一体に形成されているエンボスを含む非利用可能領域および磁気情報を保持可能な磁気テープ領域と同一平面で交わることのないよう、かつ、電力用アンテナと通信用アンテナをカード本体の厚さ方向と直交する方向から見た状態で電力用アンテナと通信用アンテナと信号処理回路の一部が重なり合うように配置される。
【００５５】
これにより、カード本体の厚さを増大させることなく、電力用信号と通信用信号を、カード本体に供給可能となる。また、信号処理回路と電力用アンテナと通信用アンテナのそれぞれの一部がカード本体の断面方向に関して相互に重なり合和せられることにより、信号処理回路と電力用アンテナと通信用アンテナとの間の配線材の長さすなわち浮遊容量の影響が低減される。さらに、信号処理回路へのノイズによる悪影響を低減できる。またさらに、従来、困難とされていた磁気テープ付きのカードに対しても、電力用アンテナと通信用アンテナによるデータの書き替えおよび保持が可能となる。さらにまた、カード単体としての重量を低減できる。
従って、たとえば、クレジットカードのような凹凸すなわちエンボスを含む、薄いカードであっても、無線カードシステムに利用可能となる。
【図面の簡単な説明】
【図１】この発明の実施例が適用される無線カードシステムを示す概略図。
【図２】図１に示した無線カードシステムに利用される無線カードを示す概略ブロック図。
【図３】図１に示した無線カードシステムに利用されるリーダ・ライタを示す概略ブロック図。
【図４】図２に示した無線カードの電力受信アンテナと通信用アンテナと１チップ素子の配置の一例を示す概略平面図。
【図５】図４に示した無線カードの配置の変形例を示す概略平面図。
【図６】図４に示した無線カードの配置の変形例を示す概略平面図。
【図７】図４に示した無線カードの配置の変形例を示す概略平面図。
【図８】図４に示した無線カードの配置の変形例を示す概略平面図。
【図９】図４に示した無線カードの配置の変形例を示す概略平面図。
【符号の説明】
１  …情報処理装置、                ２  …リーダ・ライタ、
１０  …無線カード、                １０ａ…カード本体、
１１ａ…非利用可能領域、            １１ｂ…磁気テープ部、
１２  …電力受信用アンテナ、        １３  …通信用アンテナ、
１４  …復調回路、                  １５  …ＣＰＵ、
１６  …メモリ、                    １７  …変調回路、
１８  …電源回路、                  １９  …１チップ素子、
２０  …リーダ・ライタ、            ２１  …ＣＰＵ、
２２  …メモリ、                    ２３  …クロック発生回路、
２４  …１／Ｎ倍回路、              ２５  …変調回路、
２６  …電力送信回路、              ２７  …データ送信回路、
２８  …送信アンテナ、              ２９  …モニタ回路、
３０  …受信アンテナ、              ３１  …検波回路、
３２  …復調回路、                  ３３  …電源回路。
【図１】
0003730277.tif 000002
【図２】
0003730277.tif 000003
【図３】
0003730277.tif 000004
【図４】
0003730277.tif 000005
【図５】
0003730277.tif 000006
【図６】
0003730277.tif 000007
【図７】
0003730277.tif 000008
【図８】
0003730277.tif 000009
【図９】
0003730277.tif 000010